(57)【要約】  この発明に係る空気調和管理装置は、対象空間の空気調和を行う空気調和装置および空気調和装置以外の設備装置と通信を行う管理側通信装置と、空気調和装置に対する指示が入力される管理側入力装置と、表示信号に基づく表示を行う管理側表示装置と、管理アプリケーション処理部を有する管理側制御装置とを備え、管理アプリケーション処理部は、空気調和装置の操作に係る処理を行う空気調和操作処理部、空気調和装置の初期設定に係る処理を行う空気調和初期設定処理部および空気調和装置の状態監視に係る処理を行う空気調和状態監視処理部および設備装置に対する状態監視、操作および初期設定の少なくとも１つに係る処理部を有する管理個別処理部と、管理個別処理部が処理したデータを包括して処理する管理包括処理部とを有するものである。
2020066012.tif 000002
【特許請求の範囲】
【請求項１】
対象空間の空気調和を行う空気調和装置および前記空気調和装置以外の設備装置と通信を行う管理側通信装置と、
前記空気調和装置に対する指示が入力される管理側入力装置と、
表示信号に基づく表示を行う管理側表示装置と、
管理アプリケーション処理部を有する管理側制御装置とを備え、
前記管理アプリケーション処理部は、
前記空気調和装置の操作に係る処理を行う空気調和操作処理部、前記空気調和装置の初期設定に係る処理を行う空気調和初期設定処理部および前記空気調和装置の状態監視に係る処理を行う空気調和状態監視処理部および前記設備装置に対する状態監視、操作および初期設定の少なくとも１つに係る処理部を有する管理個別処理部と、
前記管理個別処理部が処理したデータを包括して処理する管理包括処理部と
を有する空気調和管理装置。
【請求項２】
対象空間の空気調和を行う空気調和装置と通信を行う管理側通信装置と、
前記空気調和装置に対する指示が入力される管理側入力装置と、
表示信号に基づく表示を行う管理側表示装置と、
管理アプリケーション処理部を有する管理側制御装置とを備え、
前記管理アプリケーション処理部は、
前記空気調和装置の操作に係る処理を行う空気調和操作処理部、前記空気調和装置の初期設定に係る処理を行う空気調和初期設定処理部および前記空気調和装置の状態監視に係る処理を行う空気調和状態監視処理部を少なくとも有する管理個別処理部と、
前記管理個別処理部が処理したデータを包括して処理する管理包括処理部と
を有する空気調和管理装置。
【請求項３】
前記管理アプリケーション処理部の前記管理包括処理部は、前記管理個別処理部が処理したデータを、あらかじめ定められた項目と前記項目に対応する数値に変換する変換処理を行う請求項１または請求項２に記載の空気調和管理装置。
【請求項４】
前記項目は、数値に係る前記項目と状態に係る前記項目とに分かれて設定される請求項３に記載の空気調和管理装置。
【請求項５】
前記管理包括処理部は、前記管理個別処理部の処理に係るデータと前記項目および前記項目に対応する数値との関係が記憶されたパラメータ変換テーブルによる処理を行う請求項３または請求項４に記載の空気調和管理装置。
【請求項６】
前記管理側通信装置は、変換された前記項目と前記項目に対応する数値と含むコマンド信号を、装置側に送る請求項３〜請求項５のいずれか一項に記載の空気調和管理装置。
【請求項７】
前記管理アプリケーション処理部は、プログラムである管理アプリケーションを実行して処理を実現し、
前記管理アプリケーションは、あらかじめ定義されたインターフェースを利用してアプリケーション開発を行うソフトウェア開発キットを利用して作成されたアプリケーションである請求項１〜請求項６のいずれか一項に記載の空気調和管理装置。
【請求項８】
前記管理側通信装置は、近距離無線による通信を行う請求項１〜請求項７のいずれか一項に記載の空気調和管理装置。
【請求項９】
前記管理側通信装置、前記管理側入力装置、前記管理側表示装置および管理側制御装置を備える携帯情報端末装置で構成される請求項１〜請求項８のいずれか一項に記載の空気調和管理装置。
【請求項１０】
請求項１〜請求項９のいずれか一項に記載の空気調和管理装置との間で通信を行う空調側通信装置と、
報知信号に基づいて報知を行う空調側報知装置と、
前記空調側通信装置が前記空気調和管理装置から送られた信号を受信すると、前記空調側報知装置に前記報知信号を送る空調側制御装置と
を備える空気調和装置。
【請求項１１】
空気調和に係る指示を送るリモートコントローラを備え、
少なくとも前記空調側報知装置は、前記リモートコントローラに搭載される請求項１０に記載の空気調和装置。
【請求項１２】
対象空間の空気調和を行う空気調和装置の操作に係る処理を行う空気調和操作処理部、前記空気調和装置の初期設定に係る処理を行う空気調和初期設定処理部および前記空気調和装置の状態監視に係る処理を行う空気調和状態監視処理部および前記空気調和装置以外の設備装置に対する状態監視、操作および初期設定の少なくとも１つに係る処理部を有し、選択された処理部が処理を行う工程と、
前記選択された処理部が処理したデータを、あらかじめ定められた手順に基づいて処理する工程と
を有する装置管理方法のプログラム。
【発明の詳細な説明】
【技術分野】
【０００１】
この発明は、空気調和管理装置および空気調和装置並びに装置管理方法のプログラムに関するものである。特に、管理アプリケーションプログラムを実行して操作などを行うものである。
【背景技術】
【０００２】
従来、空気調和装置において、空調機器専用のリモートコントロール装置で、空気調和装置の操作が行われるものがある。また、スマートフォンなどの個人用の情報処理端末にインストールされた専用のソフトウェアとなるアプリケーションプログラム（以下、アプリケーションという）を実行することにより、空気調和装置の初期設定が行われるものがある（たとえば、特許文献１参照）。
【先行技術文献】
【特許文献】
【０００３】
【特許文献１】特開２０１７−１４６０６５号公報
【発明の概要】
【発明が解決しようとする課題】
【０００４】
上述した特許文献１におけるリモートコントロール装置は、情報処理端末に、処理を行うアプリケーションをインストールして用いるものである。ここで、特許文献１で用いられるアプリケーションは、空気調和装置の管理のうち、初期設定に特化したアプリケーションである。したがって、指示者が、特許文献１におけるリモートコントロール装置で空気調和装置などの操作などを行おうとすると、別のアプリケーションのインストールなどが必要となる。【０００５】
空気調和装置などの管理に、管理内容毎に別のアプリケーションをインストールするのは不便である。また、アプリケーション間の整合性をとらなければならない。また、アプリケーションを作成する際、入力された指示に対する複雑な処理の内容を、アプリケーション毎に定義などすることになる。このため、利便性などにおいて問題があった。【０００６】
この発明は、上述したような課題を解決するものであり、空気調和装置などに関する操作などの利便性を高めた空気調和管理装置および空気調和装置並びに装置管理方法のプログラムを得ることを目的とする。
【課題を解決するための手段】
【０００７】
この発明に係る空気調和管理装置は、対象空間の空気調和を行う空気調和装置および空気調和装置以外の設備装置と通信を行う管理側通信装置と、空気調和装置に対する指示が入力される管理側入力装置と、表示信号に基づく表示を行う管理側表示装置と、管理アプリケーション処理部を有する管理側制御装置とを備え、管理アプリケーション処理部は、空気調和装置の操作に係る処理を行う空気調和操作処理部、空気調和装置の初期設定に係る処理を行う空気調和初期設定処理部および空気調和装置の状態監視に係る処理を行う空気調和状態監視処理部および設備装置に対する状態監視、操作および初期設定の少なくとも１つに係る処理部を有する管理個別処理部と、管理個別処理部が処理したデータを包括して処理する管理包括処理部とを有するものである。【０００８】
また、この発明に係る空気調和装置は、上記の空気調和管理装置との間で通信を行う空調側通信装置と、報知信号に基づいて報知を行う空調側報知装置と、空調側通信装置が空気調和管理装置から送られた信号を受信すると、空調側報知装置に報知信号を送る空調側制御装置とを備えるものである。【０００９】
また、この発明に係る装置管理方法のプログラムは、対象空間の空気調和を行う空気調和装置の操作に係る処理を行う空気調和操作処理部、空気調和装置の初期設定に係る処理を行う空気調和初期設定処理部および空気調和装置の状態監視に係る処理を行う空気調和状態監視処理部および空気調和装置以外の設備装置に対する状態監視、操作および初期設定の少なくとも１つに係る処理部を有し、選択された処理部が処理を行う工程と、選択された処理部が処理したデータを、あらかじめ定められた手順に基づいて処理する工程とを有するものである。
【発明の効果】
【００１０】
この発明の空気調和管理装置によれば、管理アプリケーション処理部が、空気調和操作処理部、空気調和初期設定処理部および空気調和状態監視処理部を有する。このため、空気調和装置の状態監視、操作および初期設定を、同じ管理アプリケーションの処理において実現することができ、利便性を高めることができる。
【図面の簡単な説明】
【００１１】
【図１】この発明の実施の形態１に係る空気調和管理装置１００を中心とするシステムにおける構成の一例を示す図である。
【図２】この発明の実施の形態１に係る管理側制御装置１０２の構成を説明する図である。
【図３】この発明の実施の形態１に係る管理アプリケーション処理部２１０において行われる処理の流れを説明する図である。
【図４】この発明の実施の形態２に係る空気調和管理装置１００を中心とするシステムについて説明する図である。
【図５】この発明の実施の形態２に係る管理側制御装置１０２の構成を説明する図である。
【図６】この発明の実施の形態３に係る管理包括処理部２２０における処理内容の一例を説明する図である。
【図７】この発明の実施の形態３に係るシステムにおける制御の内容を示す図である。
【図８】この発明の実施の形態３に係る照明装置２および窓３の項目に係るパラメータを追加したパラメータ変換テーブル４００の一例を示す図である。
【図９】この発明の実施の形態４に係る空気調和管理装置１００を中心とするシステムにおける構成の一例を示す図である。
【発明を実施するための形態】
【００１２】
以下、この発明の実施の形態について、図面を参照しつつ、説明する。ここで、以下の図面において、同一の符号を付したものは、同一またはこれに相当するものであり、以下に記載する実施の形態の全文において共通することとする。また、明細書全文に示されている構成要素の形態は、あくまで例示であってこれらの記載に限定されるものではない。特に構成要素の組み合わせは、各実施の形態における組み合わせのみに限定するものではなく、他の実施の形態に記載した構成要素を別の実施の形態に適宜、適用することができる。また、添字で区別などしている複数の同種の機器などについて、特に区別したり、特定したりする必要がない場合には、添字などを省略して記載する場合がある。
【００１３】
実施の形態１．
図１は、この発明の実施の形態１に係る空気調和管理装置１００を中心とするシステムにおける構成の一例を示す図である。図１におけるシステムは、１または複数の空気調和装置１を有している。ここでは、図１に示すように、２台の空気調和装置１Ａおよび空気調和装置１Ｂを有しているものとして説明する。
【００１４】
空気調和装置１は、空気調和に係る機器を有し、対象空間の空気調和を行う装置である。空気調和装置１は、空調側制御装置１１、空調側通信装置１２、空調側記憶装置１３および空調側報知装置１４を有している。空調側制御装置１１は、空気調和装置１の各機器を制御し、空気調和に係る運転を行う。実施の形態１においては、空気調和管理装置１００からの信号に基づく制御を行う。空調側通信装置１２は、空気調和管理装置１００と通信を行う装置である。空調側通信装置１２の通信により、空調側制御装置１１は、空気調和管理装置１００との間で各種データを含む信号の送受信を行う。空調側記憶装置１３は、空調側制御装置１１が制御を行う際に用いる各種データを、一時的または長期的に記憶する装置である。空調側報知装置１４は、空調側制御装置１１から送られた報知信号に基づいて、報知を行う装置である。実施の形態１においては、空気調和装置１において、空調側制御装置１１が空気調和管理装置１００からの信号を受けたことを報知する。ここで、報知する方法については、特に限定するものではない。たとえば、ＬＥＤを点灯表示させて視覚的に報知を行うことができる。また、スピーカなどを振動させて音を発生させて聴覚的に報知を行うことができる。
【００１５】
また、図１に示すシステムは、空気調和装置１の空調側制御装置１１と通信可能な空気調和管理装置１００を有している。図１では、空気調和管理装置１００のハードウェア構成の一例を示している。空気調和管理装置１００は、たとえば、操作者などの指示者が入力した運転または停止、設定温度、冷暖房の運転モードなどの操作、設定などの指示のデータを含む信号を、１または複数の空気調和装置１に送る。また、空気調和管理装置１００は、空気調和装置１の運転状態などのデータを含む信号に基づいて、状態監視に係る表示などを行う。ここで、空気調和管理装置１００について、スマートフォンなどの携帯情報端末装置に、アプリケーションをインストールするなどして、携帯端末装置を、空気調和管理装置１００として機能させることができる。このとき、携帯端末装置が、空気調和管理装置１００におけるハードウェアとなる。ここでは、汎用の携帯端末装置をハードウェアとするが、空気調和装置専用のリモートコントローラをハードウェアとし、アプリケーションをインストールするなどして構成することもできる。
【００１６】
図１に示すように、空気調和管理装置１００は、管理側表示装置１０１、管理側制御装置１０２、管理側通信装置１０３、管理側記憶装置１０４および管理側入力装置１０５を有する。管理側表示装置１０１は、管理側制御装置１０２から送られる表示信号に基づいて、指示者に対し、空気調和装置１の状態に関する表示を行う。また、管理側入力装置１０５は、指示者が入力する操作または設定などに係るデータを入力信号として、管理側制御装置１０２に送る。
【００１７】
管理側記憶装置１０４は、空気調和管理装置１００の管理側制御装置１０２が処理を行う際に用いる各種データを、一時的または長期的に記憶する。ここで、管理側記憶装置１０４は、たとえば、データを一時的に記憶できるランダムアクセスメモリ（ＲＡＭ）などの揮発性記憶装置（図示せず）およびハードディスクを有する。また、管理側記憶装置１０４は、データを長期的に記憶できるフラッシュメモリ（ＲＯＭ）などの不揮発性の補助記憶装置（図示せず）を有する。
【００１８】
管理側通信装置１０３は、空気調和装置１と通信を行う装置である。管理側通信装置１０３の通信により、管理側制御装置１０２は、空気調和装置１との間で、各種データを含む信号の送受信を行う。実施の形態１においては、管理側通信装置１０３は、空気調和装置１との間で、半径約数十ｍの通信が可能な近距離無線による通信を行うものとして説明する。管理側通信装置１０３が行う近距離無線の通信規格などについては、特に限定するものではない。たとえば、Ｂｌｕｅｔｏｏｔｈ（登録商標）、Ｗｉ−Ｆｉ（登録商標）を用いて通信を行うことができる。ここで、実施の形態１では、管理側通信装置１０３は無線通信を行うが、伝送線（図示せず）により接続された空気調和装置１と有線通信を行うようにしてもよい。
【００１９】
図２は、この発明の実施の形態１に係る管理側制御装置１０２の構成を説明する図である。実施の形態１の管理側制御装置１０２は、管理アプリケーション処理部２１０を有する。管理アプリケーション処理部２１０は、空気調和装置１を管理する管理アプリケーションの処理を行う。ここで、管理側制御装置１０２は、特に図示していないが、管理アプリケーション以外のアプリケーションの処理を行うことができる。また、特に限定するものではないが、実施の形態１においては、管理アプリケーション処理部２１０が処理を行う管理アプリケーションは、管理側記憶装置１０４に記憶されているものとする。
【００２０】
管理アプリケーション処理部２１０は、管理包括処理部２２０および管理個別処理部２３０を有し、装置を管理する装置管理方法を実現する。管理個別処理部２３０は、初期設定またはスケジュール設定などを含む各種設定若しくは操作など、装置の管理に係る管理内容毎に処理部を有する。そして、指示者に選択されると、選択された処理部は、たとえば、管理内容に合わせた個別の画面表示および入力された指示または数値などの処理工程などを行う。ここで、特に限定するものではないが、実施の形態１の管理個別処理部２３０は、アプリケーションプログラムインターフェース（Ａｐｐｌｉｃａｔｉｏｎ  Ｐｒｏｇｒａｍｍｉｎｇ  Ｉｎｔｅｒｆａｃｅ）を利用して作成されたプログラムを実行して処理を実現する。アプリケーションプログラムインターフェースは、後述するソフトウェア開発キットを利用して入出力などに係る処理を行うプログラムを作成するために定義されたインターフェースである。
【００２１】
実施の形態１の管理個別処理部２３０は、空気調和操作処理部２３１、空気調和初期設定処理部２３２および空気調和状態監視処理部２３３を有する。空気調和操作処理部２３１は、空気調和操作用画面を管理側表示装置１０１に表示させる処理を行う。また、空気調和操作処理部２３１は、管理側入力装置１０５を介して指示者から入力された操作の指示を管理包括処理部２２０に送る処理を行う。空気調和初期設定処理部２３２は、空気調和初期設定用画面を管理側表示装置１０１に表示させる処理を行う。また、空気調和初期設定処理部２３２は、管理側入力装置１０５を介して指示者から入力された初期設定の指示を管理包括処理部２２０に送る処理を行う。空気調和状態監視処理部２３３は、空気調和装置１の状態を示す空気調和状態監視用画面を管理側表示装置１０１に表示させる処理を行う。ここでは、管理個別処理部２３０は、空気調和初期設定処理部２３２を有し、初期設定に係る処理を行うが、スケジュール設定などの設定の処理を行う処理部を有するようにしてもよい。
【００２２】
また、管理包括処理部２２０は、管理個別処理部２３０側から送られたデータを処理する。管理包括処理部２２０は、たとえば、管理個別処理部２３０の各処理部が処理したデータを処理する工程を行う。このため、操作または初期設定などにおいて、共通したデータに対する処理を包括して行うことができる。ここで、特に限定するものではないが、実施の形態１の管理包括処理部２２０は、ソフトウェア開発キット（Ｓｏｆｔｗａｒｅ  Ｄｅｖｅｌｏｐｍｅｎｔ  Ｋｉｔ）として、空気調和装置１の開発元などから提供されるプログラムを実行し、処理を実現する。実施の形態１においては、空気調和装置１の管理に関し、入力などされて得られる各種データに対する処理の内容が集約され、アプリケーション開発のためのソフトウェア開発キットとして提供される。
【００２３】
図３は、この発明の実施の形態１に係る管理アプリケーション処理部２１０において行われる処理の流れを説明する図である。ここでは、空気調和装置１を操作する処理について説明する。管理アプリケーション処理部２１０の管理個別処理部２３０において、空気調和操作処理部２３１は、管理側表示装置１０１に空気調和操作用画面を表示させて、指示者に操作に関する入力を促す（ステップＳ１）。指示者によって、管理側入力装置１０５から入力が行われると（ステップＳ２）、空気調和操作処理部２３１は、入力信号に含まれるデータを処理して、管理包括処理部２２０に送る（ステップＳ３）。
【００２４】
管理アプリケーション処理部２１０の管理包括処理部２２０は、送られたデータの処理を行う（ステップＳ４）。そして、管理包括処理部２２０は、管理側通信装置１０３に、指示された操作に対応するコマンド信号を送信させる（ステップＳ５）。たとえば、図１では、空気調和装置１Ａに対しては、冷房モードおよび設定温度２５℃の操作に係るコマンド信号が送られる。また、空気調和装置１Ｂに対しては、９時に運転をＯＮし、１７時に運転をＯＦＦするスケジュール設定に係るコマンド信号が送られる。
【００２５】
以上のように、実施の形態１のシステムが有する空気調和管理装置１００によれば、管理アプリケーション処理部２１０が、管理アプリケーションを実行して処理を行い、空気調和装置１の状態監視、操作および初期設定を、同じ管理アプリケーションで実現する。このため、管理内容毎にアプリケーションをインストールなどする必要がなく、利便性を高くすることができる。また、管理アプリケーションが、管理包括処理部２２０および管理個別処理部２３０を有する。このため、管理個別処理部２３０で行われる管理内容毎の個別処理によって得られるデータにおいて、共通するデータについて、管理包括処理部２２０で包括して処理することができる。このため、管理内容毎に複雑な手順などを逐次定義する必要がなくなる。
【００２６】
実施の形態２．
前述した実施の形態１の空気調和管理装置１００は、空気調和装置１を操作、初期設定および状態監視を行うものであった。実施の形態２の空気調和管理装置１００は、空気調和装置１を中心として、空気調和装置１以外の設備機器の操作、初期設定および状態監視を行うようにしたものである。
【００２７】
図４は、この発明の実施の形態２に係る空気調和管理装置１００を中心とするシステムについて説明する図である。図４において、図１などと同じ符号を付している機器などについては、実施の形態１で説明したことと同様の構成および動作を行う。図４において、照明装置２は、対象空間の照明を行う装置である。照明装置２は、照明側制御装置２１、照明側通信装置２２および照明側記憶装置２３を有している。照明側制御装置２１は、照明装置２の制御を行う。実施の形態２においては、空気調和管理装置１００からの信号に基づく制御を行う。照明側通信装置２２は、空気調和管理装置１００と通信を行う装置である。照明側通信装置２２の通信により、照明側制御装置２１は、空気調和管理装置１００との間でデータを含む信号の送受信を行う。照明側記憶装置２３は、照明側制御装置２１が制御を行う際に用いる各種データを、一時的または長期的に記憶する装置である。
【００２８】
また、窓３は、対象空間に取り付けられている。窓状態監視装置３１は、窓３が開放されているまたは閉止されているなどの状態などのデータを含む信号を、窓側通信装置３２を介して、空気調和管理装置１００に送る。窓側通信装置３２は、空気調和管理装置１００と通信を行う装置である。窓側通信装置３２の通信により、窓状態監視装置３１は、空気調和管理装置１００との間でデータを含む信号の送受信を行う。
【００２９】
図５は、この発明の実施の形態２に係る管理側制御装置１０２の構成を説明する図である。実施の形態２の空気調和管理装置１００において、管理アプリケーション処理部２１０の管理個別処理部２３０は、さらに、照明操作処理部２３４、照明初期設定処理部２３５および照明状態監視処理部２３６並びに窓状態監視処理部２３７を有する。照明操作処理部２３４は、照明操作用画面を管理側表示装置１０１に表示させる処理を行う。また、照明操作処理部２３４は、管理側入力装置１０５を介して指示者から入力された操作の指示を管理包括処理部２２０に送る処理を行う。照明初期設定処理部２３５は、照明初期設定用画面を管理側表示装置１０１に表示させる処理を行う。また、照明初期設定処理部２３５は、管理側入力装置１０５を介して指示者から入力された初期設定の指示を管理包括処理部２２０に送る処理を行う。照明状態監視処理部２３６は、照明状態監視用画面を管理側表示装置１０１に表示させる処理を行う。窓状態監視処理部２３７は、窓状態監視用画面を管理側表示装置１０１に表示させる処理を行う。実施の形態１において説明したように、上述した各処理部は、処理を行って得られたデータを、管理包括処理部２２０に送る。管理包括処理部２２０は、送られたデータを処理し、対応する設備装置に対し、管理側通信装置１０３を介して、コマンド信号送信に係る処理を行う。たとえば、図４では、空気調和装置１に対しては、冷房モードおよび設定温度２５℃の操作に係るコマンド信号が送られる。また、照明装置２に対しては、照明ＯＮのコマンド信号が送られる。また、窓３の条他監視を行う窓状態監視装置３１からは、窓３が閉止している旨の信号が送られる。
【００３０】
したがって、実施の形態２の空気調和管理装置１００によれば、管理アプリケーション処理部２１０内の各部において処理を行うことで、空気調和装置１だけでなく、照明装置２の操作、初期設定および状態監視並びに窓３の状態監視を行うことができる。ここで、管理対象とする設備装置は、照明装置２および窓３に限定するものではない。たとえば、給湯器、テレビなどを管理対象とすることができる。
【００３１】
実施の形態３．
図６は、この発明の実施の形態３に係る管理包括処理部２２０における処理内容の一例を説明する図である。図６は、パラメータ変換テーブル４００を示す。パラメータ変換テーブル４００は、各設定項目に対して、入力などされたデータと設定されたパラメータの数値とを対応させた対応関係をテーブル形式で表したものである。実施の形態３では、パラメータ変換テーブル４００は、空気調和管理装置１００においては、管理側記憶装置１０４が有し、空気調和装置１においては、空調側記憶装置１３が有しているものとする。実施の形態３においては、空気調和管理装置１００から空気調和装置１を操作する際の管理包括処理部２２０が行う処理の一例について説明する。
【００３２】
図６に示すように、ここでは、実施の形態３の空気調和装置１の操作などを行う際に、空気調和管理装置１００の指示者から入力され、空気調和装置１を制御するために必要なパラメータを、数値設定用パラメータと状態設定用パラメータとに大きく区分する。数値設定用パラメータとは、温度など、数値として指示などが入力される項目のパラメータである。また、状態設定用パラメータとは、運転モードなど、状態として指示などが入力される項目のパラメータである。
【００３３】
図６では、数値設定用パラメータとして、さらに、数値設定１および数値設定２の２つの項目に係るパラメータを有する。そして、設定温度Ｘが、数値設定１に割り当てられている。また、設定湿度Ｙが、数値設定２に割り当てられている。また、状態設定用パラメータも、状態設定１および状態設定２の２つのパラメータを有する。そして、運転モードが、状態設定１に割り当てられている。また、風量が、状態設定２に割り当てられている。ここで、状態設定用パラメータは、状態と数値とが１対１に対応するパラメータである。
【００３４】
設定温度Ｘは、３つに区分されている。たとえば、Ｘ＜１９の値が入力されれば、設定温度を１９℃とする数値に変換する。また、１９≦Ｘ≦４０の値が入力されれば、設定温度をＸ℃とする数値に変換する。４０＜Ｘが入力されれば、設定温度を４０℃とする数値に変換する。また、設定湿度Ｙも、３つに区分されている。たとえば、Ｙ＜０の値が入力されれば、設定湿度を０％とする数値に変換する。また、０≦Ｙ≦１００の値が入力されれば、設定湿度をＹ％とする数値に変換する。１００＜Ｙが入力されれば、設定湿度を１００％とする数値に変換する。
【００３５】
運転モードについては、冷房運転は、数値「０」に変換する。また、暖房運転は、数値「１」に変換する。ドライ運転は、数値「２」に変換する。送風運転は、数値「３」に変換する。自動運転は、数値「４」に変換する。また、風量については、弱風は、数値「０」に変換する。また、中風は、数値「１」に変換する。強風は、数値「２」に変換する。
【００３６】
ここで、数値設定および状態設定を２つずつ有しているが、この数に限定されるものではない。また、設定するパラメータについても、限定するものではない。たとえば、風向きなどを状態設定としてもよい。さらに、数値設定用パラメータおよび状態設定用パラメータ以外の区分でパラメータを区分してもよい。
【００３７】
図７は、この発明の実施の形態３に係るシステムにおける制御の内容を示す図である。実施の形態３においては、管理側制御装置１０２が有する管理アプリケーション処理部２１０が、前述した図３のフローチャートで示す処理を行う。このとき、管理包括処理部２２０においては、空気調和操作処理部２３１から送られたデータに基づいて、前述したパラメータの変換処理を行い、管理側通信装置１０３を介して、変換して得られたデータを含むコマンド信号を空気調和装置１に送信する。たとえば、指示者に暖房モードおよび設定温度２５．０℃を指示された場合、空気調和操作処理部２３１から暖房モードおよび設定温度２５．０℃の指示に関するデータが管理包括処理部２２０に送信される。そして、管理包括処理部２２０は、パラメータ変換テーブル４００に基づき、「数値設定１：２５．０」および「状態設定１：１」に変換処理し、そのコマンド信号が空気調和装置１に送信されて、所望の操作が可能になる。
【００３８】
空気調和装置１側においては、空調側制御装置１１が、空調側記憶装置１３が有するパラメータ変換テーブル４００に基づき、空気調和管理装置１００からのコマンド信号に含まれるデータを変換処理する。そして、変換された内容に基づいて、空気調和装置１を制御する。
【００３９】
ここでは、空気調和管理装置１００から空気調和装置１に信号を送る操作に係る処理について説明したが、特に限定するものではない。空気調和装置１側から空気調和管理装置１００への信号に基づく状態監視の処理を行う場合にも、管理側制御装置１０２の管理包括処理部２２０および空調側制御装置１１がパラメータ変換テーブル４００に基づく変換処理を行うことができる。
【００４０】
以上のように、実施の形態３の空気調和管理装置１００によれば、パラメータ変換テーブル４００をデータとして有し、管理包括処理部２２０がパラメータ変換テーブル４００に基づく変換処理を行って、コマンド信号の送信などを行うようにした。このため、あらかじめ定められたフォーマットでコマンド信号を送ることができる。そして、あらかじめ定められたパラメータ変換テーブル４００で、設定を行うことができ、拡張性を持たせることができる。また、パラメータ変換テーブル４００の内容を変更すればよいので、設定変更を容易に行うことができる。
【００４１】
ここで、実施の形態２において説明したように、空気調和管理装置１００において、管理アプリケーション処理部２１０が処理を行うことにより、照明装置２など、空気調和装置１以外の設備装置の操作など行う場合にも、適用することができる。たとえば、管理側記憶装置１０４が、管理対象の設備装置用のパラメータ変換テーブル４００を有し、管理包括処理部２２０が処理を行う。複数の設備装置を管理する場合、設備装置が違っても、「数値設定：数値」および「状態設定：数値」のフォーマットでコマンド信号を送ることができる。このため、各設備装置の項目に合わせてコマンド信号で送られる指示の内容を変更する必要はない。
【００４２】
図８は、この発明の実施の形態３に係る照明装置２および窓３の項目に係るパラメータを追加したパラメータ変換テーブル４００の一例を示す図である。照明装置２においては、照度低は、数値「０」に変換する。また、照度中は、数値「１」に変換する。照度高は、数値「２」に変換する。窓３においては、閉状態は、数値「０」に変換する。また、開状態は、数値「１」に変換する。このように同じ状態設定コマンドを送信しても受け取り側の機器により異なったパラメータを監視および制御を行うことができる。
【００４３】
たとえば、指示者から照明装置２の照度を高くするが指示が行われた場合、照明操作処理部２３４は、照度高の指示に関するデータを管理包括処理部２２０に送る。管理包括処理部２２０は、パラメータ変換テーブル４００に基づき、「状態設定１：２」に変換処理し、そのコマンド信号が照明装置２に送信されて、所望の操作が可能になる。このように、同じ状態設定コマンドを送信しても、受信側の機器により、異なったパラメータによる操作が可能となる。つまり、管理包括処理部２２０では、あらかじめ設定されたパラメータ変換テーブル４００に基づいて、空気調和装置１、照明装置２または窓３に関わらず、似たような状態設定パラメータと数値設定パラメータとに変換する。そのコマンド信号を受信した空気調和装置１、照明装置２および窓３は、自身にあらかじめ記憶されたコマンド信号に対する動作の設定情報に基づき、それぞれ所望の動作を行う。
【００４４】
ここで、パラメータ変換テーブル４００は、図６および図８に示す項目などに限定するものではない。たとえば、空気調和装置１において、風向の状態設定３をさらに設定することができる。また、操作に限らず、初期設定または状態監視のパラメータ変換テーブルを設定することもできる。また、近距離無線などにより通信が可能な給湯器、テレビなどについても、同様の設定を行うことで操作、初期設定、状態監視の対象とすることができる。その際、機器同士でパラメータが似ている場合には、互いに一部の状態設定パラメータと数値設定パラメータを利用するようにしてもよい。たとえば、給湯器については、空気調和装置１の数値設定１の設定温度を利用してもよい。また、状態設定１の運転モードに、給湯器特有のモード、たとえば「５→保温」を追加して、利用してもよい。
【００４５】
実施の形態４．
図９は、この発明の実施の形態４に係る空気調和管理装置１００を中心とするシステムにおける構成の一例を示す図である。図９において、図１などと同じ符号を付している装置などについては、実施の形態１で説明したことと同様の構成および動作を行う。図８に示すように、空気調和装置１には、空気調和装置１に空気調和に係る指示を送るリモートコントローラ１５が設置されている。そして、実施の形態４の空気調和装置１において、リモートコントローラ１５には、実施の形態１で説明した空調側報知装置１４が搭載される。この場合、空気調和装置１の本体ではなく、周辺装置であるリモートコントローラ１５から、空気調和管理装置１００からの信号を受信したことを報知することもできる。
【符号の説明】
【００４６】
１，１Ａ，１Ｂ  空気調和装置、２  照明装置、３  窓、１１  空調側制御装置、１２  空調側通信装置、１３  空調側記憶装置、１４  空調側報知装置、１５  リモートコントローラ、２１  照明側制御装置、２２  照明側通信装置、２３  照明側記憶装置、３１  窓状態監視装置、３２  窓側通信装置、１００  空気調和管理装置、１０１  管理側表示装置、１０２  管理側制御装置、１０３  管理側通信装置、１０４  管理側記憶装置、１０５  管理側入力装置、２１０  管理アプリケーション処理部、２２０  管理包括処理部、２３０  管理個別処理部、２３１  空気調和操作処理部、２３２  空気調和初期設定処理部、２３３  空気調和状態監視処理部、２３４  照明操作処理部、２３５  照明初期設定処理部、２３６  照明状態監視処理部、２３７  窓状態監視処理部、４００  パラメータ変換テーブル。
【図１】
2020066012.tif 000003
【図２】
2020066012.tif 000004
【図３】
2020066012.tif 000005
【図４】
2020066012.tif 000006
【図５】
2020066012.tif 000007
【図６】
2020066012.tif 000008
【図７】
2020066012.tif 000009
【図８】
2020066012.tif 000010
【図９】
2020066012.tif 000011
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
対象空間の空気調和を行う空気調和装置および前記空気調和装置以外の設備装置と通信を行う管理側通信装置と、
前記空気調和装置に対する指示が入力される管理側入力装置と、
表示信号に基づく表示を行う管理側表示装置と、
管理アプリケーション処理部を有する管理側制御装置とを備え、
前記管理アプリケーション処理部は、
前記空気調和装置の操作に係る処理を行う空気調和操作処理部、前記空気調和装置の初期設定に係る処理を行う空気調和初期設定処理部および前記空気調和装置の状態監視に係る処理を行う空気調和状態監視処理部および前記設備装置に対する状態監視、操作および初期設定の少なくとも１つに係る処理部を有する管理個別処理部と、
前記管理個別処理部が処理したデータを包括して処理する管理包括処理部と
を有する空気調和管理装置。
【請求項２】
前記管理アプリケーション処理部の前記管理包括処理部は、前記管理個別処理部が処理したデータを、あらかじめ定められた項目と前記項目に対応する数値に変換する変換処理を行う請求項１に記載の空気調和管理装置。
【請求項３】
前記項目は、数値に係る前記項目と状態に係る前記項目とに分かれて設定される請求項２に記載の空気調和管理装置。
【請求項４】
前記管理包括処理部は、前記管理個別処理部の処理に係るデータと前記項目および前記項目に対応する数値との関係が記憶されたパラメータ変換テーブルによる処理を行う請求項２または請求項３に記載の空気調和管理装置。
【請求項５】
前記管理側制御装置が行う処理に係るデータを記憶する管理側記憶装置をさらに備え、
前記管理側記憶装置が、前記パラメータ変換テーブルを記憶する請求項４に記載の空気調和管理装置。
【請求項６】
前記管理側通信装置は、変換された前記項目と前記項目に対応する数値と含むコマンド信号を、装置側に送る請求項２〜請求項５のいずれか一項に記載の空気調和管理装置。
【請求項７】
前記管理側通信装置は、前記管理個別処理部内において処理を行った前記処理部に対応する前記装置に前記コマンド信号を送る請求項６に記載の空気調和管理装置。
【請求項８】
前記管理側通信装置は、前記コマンド信号を、複数の前記装置に送る請求項６に記載の空気調和管理装置。
【請求項９】
前記空気調和装置および前記設備装置は、前記項目および前記項目に対応する数値と制御内容との関係が記憶されたパラメータ変換テーブルを記憶する記憶装置を備え、
前記空気調和装置および前記設備装置は、前記管理側通信装置から送られたコマンド信号に含まれる前記項目と前記項目に対応する数値とを変換し、変換された内容に基づく制御を行う請求項２〜請求項８のいずれか一項に記載の空気調和管理装置。
【請求項１０】
前記管理アプリケーション処理部は、プログラムである管理アプリケーションを実行して処理を実現し、
前記管理アプリケーションは、あらかじめ定義されたインターフェースを利用してアプリケーション開発を行うソフトウェア開発キットを利用して作成されたアプリケーションである請求項１〜請求項９のいずれか一項に記載の空気調和管理装置。
【請求項１１】
前記管理側通信装置は、近距離無線による通信を行う請求項１〜請求項１０のいずれか一項に記載の空気調和管理装置。
【請求項１２】
前記管理側通信装置、前記管理側入力装置、前記管理側表示装置および管理側制御装置を備える携帯情報端末装置で構成される請求項１〜請求項１１のいずれか一項に記載の空気調和管理装置。
【請求項１３】
請求項１〜請求項１２のいずれか一項に記載の空気調和管理装置との間で通信を行う空調側通信装置と、
報知信号に基づいて報知を行う空調側報知装置と、
前記空調側通信装置が前記空気調和管理装置から送られた信号を受信すると、前記空調側報知装置に前記報知信号を送る空調側制御装置と
を備える空気調和装置。
【請求項１４】
空気調和に係る指示を送るリモートコントローラを備え、
少なくとも前記空調側報知装置は、前記リモートコントローラに搭載される請求項１３に記載の空気調和装置。
【請求項１５】
対象空間の空気調和を行う空気調和装置の操作に係る処理を行う空気調和操作処理部、前記空気調和装置の初期設定に係る処理を行う空気調和初期設定処理部および前記空気調和装置の状態監視に係る処理を行う空気調和状態監視処理部および前記空気調和装置以外の設備装置に対する状態監視、操作および初期設定の少なくとも１つに係る処理部を有し、選択された処理部が処理を行う工程と、
前記選択された処理部が処理したデータを、あらかじめ定められた手順に基づいて処理する工程と
を有する装置管理方法のプログラム。
【国際調査報告】
2020066012.tif 000012
2020066012.tif 000013
2020066012.tif 000014
2020066012.tif 000015